【手続補正書】
【提出日】平成15年6月20日(2003.6.20)
【手続補正１】
【補正対象書類名】明細書
【補正対象項目名】特許請求の範囲
【補正方法】変更
【補正の内容】
【特許請求の範囲】
【請求項１】
配列Cys−Gln−Gln−Ser−Asp−Cys−Gly−Met−Leu−Gly−Asn−Trp−Lys−Lysまたは実質的に同様の配列を含むヒトＡｋｔ３タンパク質をコードする単離された核酸であって、ここでその核酸は下記Ａ〜Ｄ：
Ａ. SEQ ID NO:５およびSEQ ID NO:６から誘導されるオリゴヌクレオチドプライマー対を用いてポリメラーゼ連鎖反応(PCR)により増幅され得る；
Ｂ. ストリンジェント条件下で、SEQ ID NO:１に示されるヌクレオチド配列を含む核酸とハイブリダイズする；
Ｃ. SEQ ID NO:２、そのスプライス変異体およびその対立遺伝子変異体からなる群より選択されるアミノ酸配列を含むポリペプチドをコードする；
Ｄ. 配列Cys−Gln−Gln−Ser−Asp−Cys−Gly−Met−Leu−Gly−Asn−Trp−Lys−Lysまたは実質的に同様の配列を有するペプチド内の一つのエピトープに対して産生される抗体に特異的に結合するポリペプチドをコードする、
から選択される一つの性質を有する、前記の単離された核酸。
【請求項２】
ヒトＡｋｔ３タンパク質が、SEQ ID NO:２に示されるアミノ酸配列を含む、請求項１記載の単離された核酸。
【請求項３】
SEQ ID NO:１に示される配列を含む、請求項１記載の単離された核酸。
【請求項４】
オリゴヌクレオチドプライマー対がSEQ ID NO:５およびSEQ ID NO:６である、請求項１記載の単離された核酸。
【請求項５】
さらに、一つのポリペプチドタグをコードする配列を含み、それによりその核酸が、タグされたキメラＡｋｔ３タンパク質をコードする、請求項１記載の単離された核酸。
【請求項６】
さらに、ミリスチル化配列をコードする配列を含む、請求項１記載の単離された核酸。
【請求項７】
請求項１記載の核酸を含むベクター。
【請求項８】
ヒトＡｋｔ３タンパク質をコードする核酸が、発現コンピテント宿主細胞においてヒトＡｋｔ３の発現を可能にする発現調節配列と作動的に結合する、請求項７記載のベクター。
【請求項９】
ＲＮＡ分子、プラスミドＤＮＡ分子およびウイルスベクターからなる群より選択される、請求項８記載のベクター。
【請求項１０】
レトロウイルス、アデノウイルス、アデノ随伴ウイルス、ヘルペスウイルスおよびワクシニアウイルスからなる群より選択されるウイルスベクターである、請求項９記載のベクター。
【請求項１１】
請求項７記載のベクターを感染させた宿主細胞。
【請求項１２】
請求項８記載のベクターを感染させた宿主細胞。
【請求項１３】
細菌細胞、酵母細胞および哺乳類細胞からなる群より選択される、請求項１１記載の宿主細胞。
【請求項１４】
請求項１１記載の宿主細胞を培地中、ヒトＡｋｔ３の発現を可能にする条件下で培養し、次いでその培養からヒトＡｋｔ３タンパク質を単離することを含むヒトＡｋｔ３タンパク質の製造方法。
【請求項１５】
配列Cys−Gln−Gln−Ser−Asp−Cys−Gly−Met−Leu−Gly−Asn−Trp−Lys−Lysまたは実質的に同様の配列を含む単離されたヒトＡｋｔ３タンパク質であって、ここでそのタンパク質は下記Ａ〜Ｃ：
Ａ．請求項１記載の核酸によりコードされる；
Ｂ．SEQ ID NO:２、そのスプライス変異体またはその対立遺伝子変異体に示されるアミノ酸配列を含む；および
Ｃ．配列Cys−Gln−Gln−Ser−Asp−Cys−Gly−Met−Leu−Gly−Asn−Trp−Lys−Lysまたは実質的に同様の配列を有するペプチド内の一つのエピトープに対して産生される抗体に特異的に結合する、
から選択される一つの性質を有する、前記の単離されたタンパク質。
【請求項１６】
SEQ ID NO:２に示されるアミノ酸配列を含む、請求項１５記載の単離されたタンパク質。
【請求項１７】
さらに一つのタグ配列を含む、請求項１５記載の単離されたヒトＡｋｔ３タンパク質。
【請求項１８】
さらにミリスチル化配列を含む、請求項１７記載の単離されたヒトＡｋｔ３タンパク質。
【請求項１９】
配列Cys−Gln−Gln−Ser−Asp−Cys−Gly−Met−Leu−Gly−Asn−Trp−Lys−Lysまたは実質的に同様の配列を含みそしてヒトＡｋｔ３タンパク質の断片である抗原ペプチドであって、ここでそのＡｋｔ３タンパク質は下記Ａ〜Ｃ：
Ａ．請求項１記載の核酸によりコードされる；
Ｂ．SEQ ID NO:２、そのスプライス変異体またはその対立遺伝子変異体に示されるアミノ酸配列を含む；および
Ｃ．配列Cys−Gln−Gln−Ser−Asp−Cys−Gly−Met−Leu−Gly−Asn−Trp−Lys−Lysまたは実質的に同様の配列を有するペプチド内の一つのエピトープに対して産生される抗体に特異的に結合する、
から選択される一つの性質を有する、前記の抗原ペプチド。
【請求項２０】
配列Cys−Gln−Gln−Ser−Asp−Cys−Gly−Met−Leu−Gly−Asn−Trp−Lys−Lysまたはその抗原断片から本質的になる、請求項１９記載の抗原ペプチド。
【請求項２１】
請求項１５記載のヒトＡｋｔ３タンパク質を特異的に結合する抗体。
【請求項２２】
配列Cys−Gln−Gln−Ser−Asp−Cys−Gly−Met−Leu−Gly−Asn−Trp−Lys−Lysを有するペプチド内の一つのエピトープを特異的に認識する、請求項２１記載の抗体。
【請求項２３】
ポリクロナールである請求項２２記載の抗体。
【請求項２４】
請求項１記載の核酸および製薬的に許容し得るビヒクルを含有する医薬組成物。
【請求項２５】
リポソーム、核タンパク質との複合体、脂質またはデキストランからなる群より選択される形態または未処理形態での請求項１記載の核酸および製薬的に許容し得るビヒクルを含有する医薬組成物。
【請求項２６】
請求項８記載のベクターおよび製薬的に許容し得るビヒクルを含有する医薬組成物。
【請求項２７】
発現調節配列が、哺乳類細胞中において作用性であるプロモーターを含む、請求項８記載のベクター。
【請求項２８】
プロモーターが、ウイルス性、細胞性または合成のプロモーターからなる群より選択される、請求項２７記載のベクター。
【請求項２９】
ゲノム中に請求項１記載の核酸を含む、複製欠損の組換えウイルス。
【請求項３０】
ウイルスがレトロウイルス、アデノウイルス、アデノ随伴ウイルス、ワクシニアウイルスおよびＨＳＶウイルスからなる群より選択される、請求項２９記載の複製欠損の組換えウイルス。
【請求項３１】
（ａ）作動的に調節領域に連結している請求項１記載の核酸または
（ｂ）下記Ａ〜Ｃ：
Ａ．請求項１記載の核酸によりコードされる；
Ｂ．SEQ ID NO:２、そのスプライス変異体またはその対立遺伝子変異体に示されるアミノ酸配列を含む；および
Ｃ．配列Cys−Gln−Gln−Ser−Asp−Cys−Gly−Met−Leu−Gly−Asn−Trp−Lys−Lysまたは実質的に同様の配列を有するペプチド内の一つのエピトープに対して産生される抗体に特異的に結合する、
から選択される一つの性質を有する、配列Cys−Gln−Gln−Ser−Asp−Cys−Gly−Met−Leu−Gly−Asn−Trp−Lys−Lysまたは実質的に同様の配列を含む単離されたヒトＡｋｔ３タンパク質を含有する細胞死抑制用薬剤。
【請求項３２】
細胞死が低酸素症、アポトーシスまたは壊死から生じる請求項３１記載の薬剤。
【請求項３３】
（ａ）作動的に調節領域に連結している請求項１記載の核酸または
（ｂ）下記Ａ〜Ｃ：
Ａ．請求項１記載の核酸によりコードされる；
Ｂ．SEQ ID NO:２、そのスプライス変異体またはその対立遺伝子変異体に示されるアミノ酸配列を含む；および
Ｃ．配列Cys−Gln−Gln−Ser−Asp−Cys−Gly−Met−Leu−Gly−Asn−Trp−Lys−Lysまたは実質的に同様の配列を有するペプチド内の一つのエピトープに対して産生される抗体に特異的に結合する、
から選択される一つの性質を有する、配列Cys−Gln−Gln−Ser−Asp−Cys−Gly−Met−Leu−Gly−Asn−Trp−Lys−Lysまたは実質的に同様の配列を含む単離されたヒトＡｋｔ３タンパク質を含有する、心筋梗塞または虚血性再潅流障害の治療用医薬。